(57)【要約】【課題】  ガイドに案内されたウインドガラスに取り付けられたワイヤと、前記ワイヤが巻き掛けられるワイヤ巻き掛け部材と、前記ワイヤの弛みを除去するワイヤ弛み取り機構と、を有し、前記ワイヤを進退させることで、前記ウインドを移動させるウインドレギュレータに関し、ワイヤの寿命が長くなるウインドレギュレータを提供することを課題とする。【解決手段】  ワイヤ弛み取り機構１００は、回転可能に設けられ、その先端側がワイヤ９５に当接するアーム２５１と、ドラム９３に巻き掛けられるワイヤ９５の曲率が小さくなるようにアーム２５１を押すトーションスプリング（付勢手段）２５３とを有する。【選択図】          図１
2005350953.tif 000002
【特許請求の範囲】
【請求項１】
ガイドに案内されたウインドガラスに取り付けられたワイヤと、
前記ワイヤが巻き掛けられるワイヤ巻き掛け部材と、
前記ワイヤの弛みを除去するワイヤ弛み取り機構と、
を有し、
前記ワイヤを進退させることで、前記ウインドを移動させるウインドレギュレータにおいて、
前記ワイヤ弛み取り機構は、
回転可能に設けられ、その先端側が前記ワイヤに当接するアームと、
前記ワイヤ巻き掛け部材に巻き掛けられる前記ワイヤの曲率が小さくなる方向に前記アームを押す付勢手段と、
を有することを特徴とするウインドレギュレータ。
【請求項２】
前記ワイヤ弛み取り機構は、
前記ワイヤ巻き掛け部材の近傍に設けられることを特徴とする請求項１記載のウインドレギュレータ。
【発明の詳細な説明】
【技術分野】
【０００１】
本発明は、ガイドに案内されたウインドガラスに取り付けられたワイヤと、前記ワイヤが巻き掛けられるワイヤ巻き掛け部材と、前記ワイヤの弛みを除去するワイヤ弛み取り機構と、を有し、前記ワイヤを進退させることで、前記ウインドを移動させるウインドレギュレータに関する。
【背景技術】
【０００２】
ウインドレギュレータの一例として、図４に示すものがある。図において、ウインドガラスの昇降方向に設けられたガイド１には、図示しないウインドガラスが取り付けられるスライダ３が移動可能に係合している。ガイド１の上部及び下部には、ワイヤ巻き掛け部材としてのプーリ５、プーリ７が設けられている。更に、ガイド１の中間部には、ワイヤ巻き掛け部材としてのドラム９が設けられている。そして、ワイヤ１１は、ドラム９に巻き掛けられ、プーリ５、プーリ７を介してスライダ３に取り付けられている。従って、ドラム９を回転させることにより、プーリ５側のワイヤ１１、プーリ７側のワイヤ１１のうちの一方の側のワイヤはドラム９から繰り出され、他方の側のワイヤ１１がドラム９へ巻き取られることにより、スライダ３がガイド１に対して移動し、ウインドガラスが昇降することとなる。
【０００３】
ドラム９の上下にワイヤ１１の弛み取り機構２１が設けられている。ワイヤ弛み取り機構２１は、基端部がガイド１側に回転可能に取り付けられ、回転端部側にワイヤ１１に当接可能なローラ２３が設けられたアーム２５と、ローラ２３がワイヤ１１を押して、ワイヤ１１の弛みをとる方向（矢印Ｅ方向）にアーム２５を付勢するスプリング２７とからなっている（例えば、特許文献１参照）。
【特許文献１】特開平１−１８２４８３号公報（図１）
【発明の開示】
【発明が解決しようとする課題】
【０００４】
しかし、図４に示すような構成のウインドレギュレータのワイヤ弛み取り機構２１では、ワイヤ１１が弛もうとすると、スプリング２７の付勢力によりローラ２３がワイヤ１１を押して、ワイヤ１１の弛みの発生を防止する。しかし、図においてＡ部分を見るとわかるように、ローラ２３がワイヤ１１を押す方向（図において矢印Ｅ方向）は、巻き掛け部材であるドラム９に巻き掛けられるワイヤ１１の曲率が大きくなる方向である。同様に、ローラ２３がワイヤ１１を押す方向は、巻き掛け部材であるプーリ５、７に巻き掛けられるワイヤ１１の曲率が大きくなる方向である。
【０００５】
ワイヤ１１の曲率が大きくなることにより、即ち、ワイヤ１１が更に曲げられることにより、ワイヤ１１の寿命が短くなる問題点がある。
本発明は、上記問題点に鑑みてなされたもので、その課題は、ワイヤの寿命が長くなるウインドレギュレータを提供することにある。
【課題を解決するための手段】
【０００６】
上記課題を解決する請求項１に係る発明は、ガイドに案内されたウインドガラスに取り付けられたワイヤと、前記ワイヤが巻き掛けられるワイヤ巻き掛け部材と、前記ワイヤの弛みを除去するワイヤ弛み取り機構と、を有し、前記ワイヤを進退させることで、前記ウインドを移動させるウインドレギュレータにおいて、前記ワイヤ弛み取り機構は、回転可能に設けられ、その先端側が前記ワイヤに当接するアームと、前記ワイヤ巻き掛け部材に巻き掛けられる前記ワイヤの曲率が小さくなる方向に前記アームを押す付勢手段とを有することを特徴とするウインドレギュレータである。
【０００７】
ワイヤを進退させると、ワイヤが取り付けられ、ガイドに案内されたウインドガラスが昇降する。ワイヤが弛もうとすると、ワイヤ弛み取り機構のアームが付勢手段に付勢されて、ワイヤ巻き掛け部材に巻き掛けられる前記ワイヤの曲率が小さくなる方向にワイヤを押して、ワイヤの弛みの発生を防止する。
【０００８】
ここで、ワイヤ巻き掛け部材としては、ワイヤを案内する固定ガイドやプーリ、ワイヤが巻き掛けられるドラム等があるが限定するものではない。
請求項２に係る発明は、前記ワイヤ弛み取り機構は、前記ワイヤ巻き掛け部材の近傍に設けられることを特徴とする請求項１記載のウインドレギュレータである。
【発明の効果】
【０００９】
請求項１〜請求項２に係る発明によれば、ワイヤが弛むと、ワイヤ弛み取り機構のアームが付勢手段に付勢されて、ワイヤ巻き掛け部材に巻き掛けられる前記ワイヤの曲率が小さくなる方向にワイヤを押すので、ワイヤの寿命が長くなる。
【００１０】
請求項２に係る発明によれば、前記ワイヤ弛み取り機構を前記ワイヤ巻き掛け部材の近傍に設けたことにより、ワイヤ巻き掛け部材から離れた箇所に設ける場合に比べて、アームを短くすることができ、ウインドレギュレータを小型化することができる。
【発明を実施するための最良の形態】
【００１１】
図面を用いて本発明の形態例を説明する。
最初に、図３を用いて本形態例のウインドレギュレータの全体構成を説明する。図において、ＢＬはドアのベルトラインを示している。ドアの前側には、ウインドガラス８１の昇降方向に延びる第１フレームとしてのフロントフレーム５３が設けられている。ドアの後側には、ウインドガラス８１の昇降方向に延びる第２フレームとしてのリアフレーム５５が設けられている。フロントフレーム５３の上部とリアフレーム５５の上部とは、アッパフレーム１０３で橋渡しされている。
【００１２】
ウインドガラス８１の前側の下部には、第１ワイヤ固定部材１０１が、ウインドガラス８１の後側上部には、第２ワイヤ固定部材１１１がそれぞれ取付けられている。
ベルトラインＢＬより下のフロントフレーム５３、本形態例では、フロントフレーム５３の下部には、モータ９１とモータ９１によって回転駆動されるドラム９３とが設けられている。ここで、図３のＦ部分を紙面の裏側から見た拡大分解斜視図である図１、図１の分解斜視図を矢印Ｄ方向から見た分解斜視図である図２を用いて説明する。
【００１３】
モータ９１の出力軸２０７の回りには、開放面を有し、円筒面の一部が切りかかれた切り欠き部９１ｄを有する略円筒状のドラムハウジング９１ａが形成されている。ドラムハウジング９１ａ内には、出力軸２０７に嵌合するワイヤ巻き掛け部材としてのドラム９３が配置される。
【００１４】
ドラムハウジング９１ａの切り欠き部９１ｄには、ワイヤガイド２０９が取り付けられる。具体的には、ワイヤガイド２０９の第１係合部２０９ｅがドラムハウジング９１ａの切り欠き部９１ｄの一方の立壁面９１ｅに、ワイヤガイド２０９の第２係合部２０９ｆがドラムハウジング９１ａの切り欠き部９１ｄの他方の立壁面９１ｆにそれそれ係合することで、ドラムハウジング９１ａの切り欠き部９１ｄには、ワイヤガイド２０９が取り付けられる
ワイヤガイド２０９上には、ワイヤ弛み取り機構１００を構成する付勢手段としてのトーションスプリング２５３と、アーム２５１とが配置される。そして、先端部側におねじ部２５５ａが形成されたストッパピン２５５が、アーム２５１の基端部に形成された穴２５１ａ、トーションスプリング２５３、ワイヤガイド２０９に形成された穴２０９ａを挿通し、ストッパピン２５５のおねじ部２５５ａにナット２５６が螺合することにより、アーム２５１、トーションスプリング２５３はワイヤガイド２０９に取り付けられると共に、アーム２５１はストッパピン２５５を中心に回転可能となっている。
【００１５】
ドラム９３の周面にはらせん状の溝が形成されている。２本のワイヤ９５、ワイヤ９６の端部がドラム９３に取り付けられ、更に、ワイヤ９５、ワイヤ９６はドラム９３の溝に巻き掛けられ、ドラム９３より出て行っている。そして、ドラム９３を一方の方向（図１〜図３の矢印Ｄ方向）に回転させると、ワイヤ９５は巻き取られ、ワイヤ９６は繰り出されるようにドラム９３の溝は形成されている。ドラム９３を出たワイヤ９６はワイヤガイド２０９の巻き掛け部材としての曲面状のガイド部２０９ｃに係合している（巻き掛けられている）。又、ドラム９３を出たワイヤ９５はアーム２５１の回転端部側に形成された曲面状のガイド部２５１ｃが当接可能となっている。
【００１６】
トーションスプリング２５３の一方の端部はワイヤガイド２０９に係止され、他方の端部はアーム２５１に係止され、アーム２５１のガイド部２５１ｃを図１〜図３の矢印Ｃ方向に付勢している。矢印Ｃ方向は、ワイヤ９５に当接する方向で、更に、ドラム９３に巻き掛けられたワイヤ９５の曲率が小さくなる方向である。
【００１７】
図３に戻って、ワイヤ９５の先端部側はアーム２５１を介してフロントフレーム５３に沿って上方に延び、ウインドガラス８１に設けられた第１ワイヤ固定部材１０１に接続されている。又、ワイヤ９６の先端部側はワイヤガイド２０９を介してフロントフレーム５３内に入り、アッパフレーム１０３、リアフレーム５５内を通り、ウインドガラス８１に設けられた第２ワイヤ固定部材１１１に接続されている。
【００１８】
又、第１ワイヤ固定部材１０１には、ワイヤ１３１が接続され、このワイヤ１３１は、フロントフレーム５３の上部に設けられたプーリ９７を介してリアフレーム５５方向に延び、リアフレーム５５に設けられたガイド９９を介してリアフレーム５５内に入り、第２ワイヤ固定部材１１１に接続されている。
【００１９】
次に、上記構成の作動を説明する。図３において、モータ９１を用いてドラム９３を矢印方向Ｄ（図２、図３においては矢印Ｄ方向）に回転させると、ワイヤ９５がドラム９３に巻き取られ、ワイヤ９６がドラム９３から繰り出される。従って、第１ワイヤ固定部材１０１、第２ワイヤ固定部材１１１は下降し、ウインドガラス８１も下降する。
【００２０】
又、モータ９１を用いてドラム９３を矢印Ｄ方向と反対方向に回転させると、ワイヤ９５がドラム９３から繰り出され、ワイヤ９６がドラム９３に巻き取られる。この場合、第１ワイヤ固定部材１０１、第２ワイヤ固定部材１１１が上昇し、ウインドガラス８１も上昇する。
【００２１】
このような構成のウインドレギュレータにおいて、ウインドガラス８１が上昇する場合、ワイヤ９６がドラム９３に巻き取られ、ワイヤ９５がドラム９３から繰り出されるが、全閉状態（上死点）になってもモータ９１が駆動されると、ワイヤ９５が弛もうとする。又、高温でドラム９３が変形したり、長期間の使用によりドラム９３の溝が磨耗した際も、ワイヤ９５が弛もうとする。
【００２２】
しかし、ワイヤ９５が弛もうとすると、ワイヤ弛み取り機構１００のアーム２５１がドラム９３に巻き取られるワイヤ９５の曲率が小さくなる方向（矢印Ｃ方向）にワイヤ９５を押すので、ワイヤ９５の弛みは発生しない。
【００２３】
このような構成によれば、以下のような効果を得ることができる。
（１）ワイヤ９５が弛もうとすると、ワイヤ弛み取り機構１００のアーム２５１がドラム９３に巻き取られるワイヤ９５の曲率が小さくなる方向にワイヤ９５を押す。従って、ワイヤ９５の寿命が長くなる。
（２）ワイヤ弛み取り機構１００をドラム９３の近傍に設けたことにより、ドラム９３から離れた箇所に設ける場合に比べて、アーム２５１を短くすることができ、ウインドレギュレータを小型化することができる。
（３）ウインドガラス８１を昇降させるために機能する構成、すなわち、ワイヤ９５、ワイヤ９６、ワイヤ１３１はフロントフレーム（第１フレーム）５３、アッパフレーム１０３、リアフレーム（第２フレーム）５５に沿って配設される。また、モータ９１、ドラム９３は、フロントフレーム５３のベルトラインＢＬより下側の部位に設けられる。従って、ドアパネル内を有効に利用できる。
【００２４】
尚、本発明は、上記形態例に限定するものではない。上記形態例では、ワイヤ９５の弛みを取るワイヤ弛み取り機構１００で説明を行ったが、同じような構成の弛み取り機構を用いてワイヤガイド２０９のガイド部２０９ｃに巻き掛けられたワイヤ９６の弛みを取るようにしてもよい。
【図面の簡単な説明】
【００２５】
【図１】形態例のウインドレギュレータの発明部分の分解斜視図である。
【図２】図１の分解斜視図を矢印Ｄ方向から見た分解斜視図である。
【図３】本発明の実施の形態例のウインドレギュレータの構成図である。
【図４】従来のウインドレギュレータを説明する図である。
【符号の説明】
【００２６】
９５  ワイヤ
２５１  アーム
２５３  トーションスプリング
【図１】
2005350953.tif 000003
【図２】
2005350953.tif 000004
【図３】
2005350953.tif 000005
【図４】
2005350953.tif 000006